(57)【要約】【課題】簡単な構成で画像に光沢むらが発生することを抑制できる画像形成装置を提供する。【解決手段】画像形成装置１０の定着後ローラ対８０は、一対のローラ８１，８２を有し、定着装置５０を通過した用紙を一対のローラ８１，８２で圧接しながら搬送する。反転ゲート７１は、用紙搬送方向において定着後ローラ対８０の下流側に設けられた用紙主搬送路４５の湾曲部６９の外周部に配置され、用紙搬送時の用紙の当接力によって揺動自在である。圧接力調整部材７２は、反転ゲート７１の揺動動作に応じて変位する。圧接力調整部材７２は、一対のローラ８１，８２の互いの圧接力を弱めない第１の位置と、圧接力を弱める第２の位置とに変位自在である。【選択図】図２
2010120746.tif 000002
【特許請求の範囲】
【請求項１】
用紙搬送路に沿って搬送される用紙に現像剤像を定着させる定着部と、
一対の回転体を有し、前記定着部を通過した用紙を前記一対の回転体で圧接しながら搬送する搬送部材と、
用紙搬送方向において前記搬送部材の下流側に設けられた前記用紙搬送路の湾曲部の外周部に配置され、用紙搬送時の用紙の当接力によって揺動自在な揺動部材と、
前記揺動部材の揺動動作に応じて変位する圧接力調整部材であって前記一対の回転体の互いの圧接力を弱めない第１の位置と前記圧接力を弱める第２の位置とに変位自在な圧接力調整部材と、を備える画像形成装置。
【請求項２】
前記搬送部材は、前記用紙搬送路における前記定着部の下流側部分に配置された用紙搬送部材のうち最も上流側に配置された用紙搬送部材である請求項１に記載の画像形成装置。
【請求項３】
前記用紙搬送路における前記定着部の下流側の分岐点から用紙に現像剤像を転写する転写位置の上流側の合流点へと用紙を搬送するための用紙副搬送路をさらに備え、
前記揺動部材は、前記分岐点に配置され、前記分岐点を通過した用紙の反転搬送時に用紙を前記用紙副搬送路へ案内する請求項１又は２に記載の画像形成装置。
【請求項４】
前記圧接力調整部材は、前記用紙搬送路に沿ってスライド自在に配置され、前記第２の位置において前記一対の回転体のうち少なくとも一方の回転体に接触する部分が、前記一対の回転体を互いに離間させる方向へ突出している請求項１から３のいずれかに記載の画像形成装置。
【発明の詳細な説明】
【技術分野】
【０００１】
この発明は、用紙搬送路に沿って搬送される用紙に現像剤像を定着させる定着部を備える画像形成装置に関する。
【背景技術】
【０００２】
電子写真方式の画像形成装置では、像担持体の周面が一様に帯電され、像担持体の周面が露光されることで静電潜像が形成され、静電潜像に薄層化された現像剤が静電的に付着することで像担持体の周面に現像剤像が形成される。現像剤像は、転写電圧を印加されることで、搬送ローラ対（用紙搬送部材）で圧接されながら搬送される用紙に転写され、定着部で加熱及び加圧されることで用紙に定着する。
【０００３】
近年、多種多様な用紙への画像形成が求められるようになり、用紙を安定して搬送するために搬送ローラ対の互いの圧接力を大きくすることが考えらえる。
【０００４】
ところが、用紙搬送方向において定着部より下流側に配置された搬送ローラ対の圧接力を大きくすると、画像に光沢むらが発生しやすくなる。特に、用紙が厚紙や光沢紙である場合、定着部における定着温度が普通紙の場合より高く設定されると、定着後の現像剤の温度が普通紙の場合より高くなるので、搬送ローラ対に圧接されると画像が乱れやすく、光沢むらが発生しやすい。
【０００５】
そこで、用紙の種類を判定し、判定結果に基づいてソレノイドを制御して定着部より下流側の搬送ローラ対の圧接力を変更することで、画像への光沢むらの発生の抑制を図る技術が知られている（例えば、特許文献１参照。）。
【特許文献１】特開２００８−７４５７１公報
【発明の開示】
【発明が解決しようとする課題】
【０００６】
しかし、上述の技術では、用紙の種類を判定する手段及びソレノイドを備え、用紙種類の判定結果に基づいてソレノイドを制御し、ソレノイドによって搬送ローラ対の圧接力を変更するように構成されるので、構成が複雑となり、及び装置の大型化を招く虞がある。
【０００７】
この発明の目的は、簡単な構成で画像に光沢むらが発生することを抑制できる画像形成装置を提供することにある。
【課題を解決するための手段】
【０００８】
この発明の画像形成装置は、定着部、搬送部材、揺動部材、及び圧接力調整部材を備える。定着部は、用紙搬送路に沿って搬送される用紙に現像剤像を定着させる。搬送部材は、一対の回転体を有し、定着部を通過した用紙を一対の回転体で圧接しながら搬送する。揺動部材は、用紙搬送方向において搬送部材の下流側に設けられた用紙搬送路の湾曲部の外周部に配置され、用紙搬送時の用紙の当接力によって揺動自在である。圧接力調整部材は、揺動部材の揺動動作に応じて変位する。圧接力調整部材は、一対の回転体の互いの圧接力を弱めない第１の位置と、圧接力を弱める第２の位置とに変位自在である。
【０００９】
この構成では、例えば普通紙に対する画像形成処理では、揺動部材はあまり大きく揺動せず、圧接力調整部材は第１の位置に配置される。このため、一対の回転体の互いの圧接力は弱められない。これによって、用紙が定着部へ巻き付いて十分に剥離されないことによる用紙の波打ちを防止することができる。一方、厚紙や光沢紙に対する画像形成処理では、用紙の腰が強く当接力が大きくなるので揺動部材は大きく揺動し、圧接力調整部材は第２の位置に配置される。このため、一対の回転体の互いの圧接力が弱められる。これによって、画像に光沢むらが発生することを抑制することができる。
【００１０】
上述の構成において、搬送部材は、用紙搬送路における定着部の下流側部分に配置された用紙搬送部材のうち最も上流側に配置された用紙搬送部材とすることができる。定着部を通過した後の経過時間が短いほど現像剤像の温度が高いので画像が乱れやすいが、定着部の直後に用紙を搬送する搬送部材の圧接力を弱めることで、画像に光沢むらが発生することをより抑制することができる。
【００１１】
また、用紙搬送路における定着部の下流側の所定の分岐点と用紙に現像剤像を転写する転写位置の上流側の所定の合流点との間に設けられた用紙副搬送路をさらに備え、揺動部材は、分岐点に配置され、分岐点を通過した用紙の反転搬送時に用紙を用紙副搬送路へ案内するように構成することができる。分岐点を通過した用紙の反転搬送時に用紙を用紙副搬送路へ案内する部材を揺動部材として用いることで、部品点数を抑制することができ、構成をより簡単化することができる。
【００１２】
さらに、圧接力調整部材は、用紙搬送路に沿ってスライド自在に配置され、第２の位置において一対の回転体のうち少なくとも一方の回転体に接触する部分が、一対の回転体を互いに離間させる方向へ突出しているように構成することができる。圧接力調整部材は、第１の位置では一対の回転体の互いの圧接力を弱めず、第２の位置へスライドされた際に、少なくとも一方の回転体に接触して一対の回転体を互いに離間させる方向に力を付加する。このように、圧接力調整部材がスライドするという簡単な構成で一対の回転体の互いの圧接力を弱めることができる。
【発明の効果】
【００１３】
この発明によれば、簡単な構成で、画像に光沢むらが発生することを抑制することができる。
【発明を実施するための最良の形態】
【００１４】
以下に、この発明を実施するための最良の形態について、図面に基づいて説明する。図１は、この発明の実施形態に係る画像形成装置１０の正面断面図である。図１では、切断面の断面表記を省略している。
【００１５】
画像形成装置１０は、画像読取装置１００、画像形成ユニット２００、及び給紙ユニット３００を備えている。
【００１６】
画像読取装置１００は、画像形成装置１０の上部に配置され、自動原稿搬送装置（ＡＤＦ:AutomaticDocument Feeder）９０、及び画像読取部２０を備えている。画像読取部２０は、第１原稿台２１、第２原稿台２２、第１ミラーベース２３、第２ミラーベース２４、レンズ２５、及び固体撮像素子（ＣＣＤ:Charge Coupled Device）２６を備えている。
【００１７】
ＡＤＦ９０には、原稿積載トレイ９１から第２原稿台２２を経由して原稿排出トレイ９２へ至る原稿搬送路９３が形成されている。ＡＤＦ９０は、原稿搬送路９３に原稿を１枚ずつ搬送する。ＡＤＦ９０は、第１原稿台２１の上面を開閉自在に被覆するように、背面側を支点に回動自在にされている。前面側が上方に移動するようにＡＤＦ９０を回動させて第１原稿台２１の上面を露出させることにより、手動操作によって第１原稿台２１に原稿を載置することができる。
【００１８】
第１原稿台２１及び第２原稿台２２は、ともに硬質ガラス板によって構成されている。
【００１９】
第１ミラーベース２３及び第２ミラーベース２４は、第１原稿台２１及び第２原稿台２２の下方において水平方向に移動自在にされている。第２ミラーベース２４の移動速度は、第１ミラーベース２３の移動速度の１／２にされている。第１ミラーベース２３は、光源及び第１ミラーを搭載している。第２ミラーベース２４は、第２ミラー及び第３ミラーを搭載している。
【００２０】
ＡＤＦ９０によって搬送される原稿の画像を読み取る際に、第１ミラーベース２３は、第２原稿台２２の下方に停止している。光源の光は、第２原稿台２２上を通過する原稿の画像面に向けて照射され、原稿の画像面における反射光が第１ミラーによって第２ミラーベース２４に向けて反射される。
【００２１】
第１原稿台２１に載置された原稿の画像を読み取る際には、第１ミラーベース２３及び第２ミラーベース２４は、第１原稿台２１の下方を水平方向に移動する。光源の光は、第１原稿台２１上に載置された原稿の画像面に向けて照射され、原稿の画像面における反射光が第１ミラーによって第２ミラーベース２４に向けて反射される。
【００２２】
ＡＤＦ９０を用いるか否かに拘らず、原稿の画像面における反射光は、光路長を一定にして、第２ミラー及び第３ミラーによってレンズ２５を経由してＣＣＤ２６に入射する。
【００２３】
ＣＣＤ２６は、原稿の画像面における反射光を光電変換して、画像データを取得する。画像データは、図示しない制御部に入力される。制御部は、必要に応じて画像データを画像形成ユニット２００へ出力する。
【００２４】
画像形成ユニット２００は、画像読取装置１００の下に配置されている。画像形成ユニット２００は、画像形成部３０Ａ，３０Ｂ、３０Ｃ，３０Ｄ、露光ユニット４１、中間転写ベルト４２、二次転写ローラ４３、定着装置（定着部）５０、排紙トレイ４４、用紙主搬送路（用紙搬送路）４５、及び用紙副搬送路４６を備えている。
【００２５】
画像形成部３０Ａ〜３０Ｄは、ブラック、並びに、カラー画像を色分解して得られる減法混色の３原色であるシアン、マゼンタ及びイエローの４色の各色相に対応した画像データを用いて、画像形成を行う。
【００２６】
画像形成部３０Ａ〜３０Ｄは、中間転写ベルト４２の移動方向に沿って一列に配置されている。画像形成部３０Ａ〜３０Ｄは、互いに同様に構成されている。
【００２７】
ブラックの画像形成部３０Ａは、感光体ドラム３１、帯電装置３２、現像装置３３、一次転写ローラ３４、及びクリーニングユニット３５を備えている。
【００２８】
帯電装置３２は、感光体ドラム３１の表面を所定の電位に均一に帯電させる。
【００２９】
露光ユニット４１は、半導体レーザ、ポリゴンミラー、第１ｆθレンズ及び第２ｆθレンズを備えており、ブラック、シアン、マゼンタ及びイエローの各色相の画像データによって変調されたレーザビームのそれぞれを、画像形成部３０Ａ〜３０Ｄのそれぞれの感光体ドラム３１に照射する。４個の感光体ドラム３１のそれぞれには、ブラック、シアン、マゼンタ及びイエローの各色相の画像データによる静電潜像が形成される。
【００３０】
現像装置３３は、静電潜像が形成された感光体ドラム３１の表面に、画像形成部３０Ａ〜３０Ｄのそれぞれの色相のトナー（現像剤）を供給し、静電潜像を現像剤像に顕像化する。
【００３１】
クリーニングユニット３５は、現像及び画像転写の後における感光体ドラム３１の表面に残留したトナーを回収する。
【００３２】
中間転写ベルト４２は、無端ベルトで構成され、駆動ローラ４７と従動ローラ４８との間に張架されている。中間転写ベルト４２の外周面は、４個の感光体ドラム３１に順に対向する。中間転写ベルト４２を挟んで各感光体ドラム３１に対向する位置のそれぞれに、一次転写ローラ３４が配置されている。中間転写ベルト４２が感光体ドラム３１に対向する位置のそれぞれが一次転写位置である。
【００３３】
一次転写ローラ３４には、感光体ドラム３１の表面に担持された現像剤像を中間転写ベルト４２上に転写するために、トナーの帯電極性と逆極性の一次転写バイアスが定電圧制御によって印加される。これによって、感光体ドラム３１のそれぞれに形成された各色相の現像剤像は中間転写ベルト４２の外周面に順次重ねて転写され、中間転写ベルト４２の外周面にフルカラーの現像剤像が形成される。
【００３４】
但し、イエロー、マゼンタ、シアン及びブラックの色相の一部のみの画像データが入力された場合は、４個の感光体ドラム３１のうち、入力された画像データの色相に対応する一部のみにおいて静電潜像及び現像剤像の形成が行われる。例えば、モノクロ印刷モード時には、ブラックの色相に対応した画像形成部３０Ａの感光体ドラム３１のみにおいて静電潜像の形成及び現像剤像の形成が行われ、中間転写ベルト４２の外周面にはブラックの現像剤像のみが転写される。
【００３５】
画像形成部３０Ａ〜３０Ｄの全てにおいて画像形成が行われるフルカラー画像形成時には、４個の一次転写ローラ３４が中間転写ベルト４２を全ての感光体ドラム３１に圧接させる。一方、画像形成部３０Ａのみにおいて画像形成が行われるモノクロ画像形成時には、画像形成部３０Ａの一次転写ローラ３４のみが中間転写ベルト４２を感光体ドラム３１に圧接させる。
【００３６】
各一次転写ローラ３４は、直径８〜１０ｍｍの金属（例えばステンレス）を素材とする軸の表面を導電性の弾性材によって被覆して構成されており、導電性の弾性材によって中間転写ベルト４２に均一に高電圧を印加する。弾性材として、ＥＰＤＭ（エチレン・プロピレン共重合ゴム）、又は発泡ウレタン等が用いられる。
【００３７】
各一次転写位置において中間転写ベルト４２の外周面に転写された現像剤像は、中間転写ベルト４２の回転によって、中間転写ベルト４２と二次転写ローラ４３との対向位置である二次転写位置へ搬送される。二次転写ローラ４３は、画像形成時において、内周面が駆動ローラ４７の周面に接触する中間転写ベルト４２の外周面に所定のニップ圧で圧接している。
【００３８】
用紙主搬送路４５には、複数の搬送ローラ対が配置されている。用紙主搬送路４５は、給紙ユニット３００の給紙トレイ６１に収容されている記録媒体の一例である用紙を、二次転写位置及び定着装置５０を経由して排紙トレイ４４へ送るために、略垂直方向に配置されている。
【００３９】
用紙副搬送路４６には、複数の搬送ローラ対が配置されている。用紙副搬送路４６は、用紙の搬送方向において、用紙主搬送路４５における定着装置５０の下流側の所定の分岐点６７と二次転写位置の上流側の所定の合流点６８との間に設けられている。分岐点６７には、反転ゲート（揺動部材）７１が配置されている。反転ゲート７１は、分岐点６７において用紙の搬送先を案内する。用紙副搬送路４６には、分岐点６７の下流側に配置された搬送ローラ対が逆回転することで、分岐点６７を通過した用紙が、それまでの後端が前端となるように反転搬送される。これによって、用紙は表裏を反転した状態で、二次転写位置へ再送される。
【００４０】
給紙ユニット３００は、画像形成ユニット２００の下に配置され、給紙カセット６１の他に、手差しトレイ６２を備えている。給紙カセット６１及び手差しトレイ６２のそれぞれには、用紙が収容される。
【００４１】
給紙ユニット３００は、給紙カセット６１又は手差しトレイ６２の何れかから１枚ずつ用紙を給紙する。給紙カセット６１に収容された用紙は、ピックアップローラ６３によって給紙され、用紙主搬送路４５を経由して二次転写位置へ搬送される。手差しトレイ６２に収容された用紙は、ピックアップローラ６４によって給紙され、用紙主搬送路４５を経由して二次転写位置へ搬送される。
【００４２】
用紙搬送方向において二次転写位置の上流側に、レジストローラ６５が配置されている。給紙カセット６１又は手差しトレイ６２から給紙された用紙は、レジストローラ６５が停止した状態で先端をレジストローラ６５に突き当てられる。レジストローラ６５の回転軸は、用紙の搬送方向に直交する方向に配置されている。用紙の先端が、停止した状態のレジストローラ６５に突き当てられることで、用紙が斜行している場合は斜行が補正される。
【００４３】
レジストローラ６５は、用紙の先端を、中間転写ベルト４２の表面に形成された現像剤像の先端と合わせるタイミングで回転を開始し、二次転写位置へ用紙を供給する。
【００４４】
給紙ユニット３００から給紙された用紙が二次転写位置を通過する際に、二次転写ローラ４３にトナーの帯電極性とは逆極性の高電圧が印加される。これによって、中間転写ベルト４２の外周面から用紙の表面に、現像剤像が転写される。
【００４５】
現像剤像が用紙に転写された後の中間転写ベルト４２上に残留したトナーは、中間転写ベルト用クリーニング装置６６によって回収される。
【００４６】
現像剤像が転写された用紙は、定着装置５０に導かれ、加熱ローラ５１と加圧ローラ５２との間を通過することで加熱及び加圧される。これによって、現像剤像が、用紙の表面に堅牢に定着する。現像剤像が定着した用紙は、排紙トレイ４４上へ排出される。
【００４７】
図２は、画像形成装置１０の一部を拡大して示している。図２では、説明の都合上、主要部を円で囲っている。
【００４８】
図２に示すように、画像形成装置１０は、用紙搬送方向において、定着装置５０の下流側に定着後ローラ対８０を備えている。定着後ローラ対８０は、用紙主搬送路４５における定着装置５０の下流側部分に配置された搬送ローラ対（用紙搬送部材）のうち最も上流側に配置された搬送ローラ対である。定着後ローラ対８０は、駆動ローラ（回転体）８１及び従動ローラ（回転体）８２を有する。通常時は、駆動ローラ８１と従動ローラ８２とは、一対に構成され、互いに所定の大きさの力で圧接している。定着後ローラ対８０は、定着装置５０を通過した用紙を、駆動ローラ８１と従動ローラ８２とで圧接しながら搬送する。
【００４９】
用紙主搬送路４５は、用紙搬送方向において、定着後ローラ対８０の下流側に、垂直方向から水平方向へ曲がる湾曲部６９を有している。湾曲部６９に、用紙主搬送路４５と用紙副搬送路４６との分岐点６７がある。用紙副搬送路４６は、分岐点６７より下流側の用紙主搬送路４５に対して略直線状につながるように形成されている。
【００５０】
反転ゲート７１は、用紙主搬送路４５と用紙副搬送路４６との分岐点６７であって用紙主搬送路４５の湾曲部６９の外周部に配置されている。反転ゲート７１は、用紙搬送方向において上流側に位置する基端部をフレームに軸支され、下流側に位置する開放端部が用紙搬送時の用紙の当接力によって揺動自在となるように構成されている。
【００５１】
反転ゲート７１は、用紙が通過しないときは、例えば自重によって、下降している。反転ゲート７１は、用紙の後端が分岐点６９を通過した後にそれまでの後端を前端として搬送する用紙の反転搬送時に、用紙を用紙副搬送路４６へ案内する。
【００５２】
ここで、所定値未満の厚さの紙を普通紙といい、所定値以上の厚さの紙を厚紙ということとする。用紙は、一般的に腰の強さと言われる力、即ち湾曲した際にまっすぐに戻ろうとする復元力を有する。一般的に、用紙の復元力は、普通紙より厚紙の方が大きい。このため、用紙の湾曲部６９通過時における反転ゲート７１への当接力は、普通紙より厚紙の方が大きくなる。したがって、反転ゲート７１は、図３に示すように、普通紙の湾曲部６９通過時には普通紙が通過するのに必要な所定のスペースを作る分だけ揺動し、図４に示すように、厚紙の湾曲部６９通過時には普通紙の通過時より大きく揺動する。
【００５３】
図２〜４に示すように、用紙主搬送路４５に沿ってスライド自在に、圧接力調整部材７２が配置されている。用紙搬送方向において、圧接力調整部材７２の下流側端部と反転ゲート７１の開放端部とは、連結部材７３によって連結されている。これによって、圧接力調整部材７２は、反転ゲート７１の揺動動作に応じて、普通紙の湾曲部６９通過時に配置される所定の第１の位置と、厚紙の湾曲部６９通過時に配置される所定の第２の位置とに変位する。
【００５４】
反転ゲート７１の開放端部と連結部材７３との連結部は、ピンによって回動自在に連結されている。
【００５５】
圧接力調整部材７２の下流側端部と連結部材７３との連結部は、次のように構成されている。即ち、連結部材７３の上流側端部には、連結部材７３の長手方向即ち圧接力調整部材７２の下流側端部と反転ゲート７１の開放端部との連結方向に沿って長い長孔が設けられている。圧接力調整部材７２の下流側端部にはピンが立設され、ピンは連結部材の長孔に挿通され、長孔内で変位できる。
【００５６】
このため、普通紙の湾曲部６９通過時に、上述のように反転ゲート７１は少し揺動し、これによって連結部材７３が少し変位するが、連結部材７２の動き始めの若干寸法については、圧接力調整部材７２のピンが連結部材７３の長孔内を変位するので、連結部材７２が変位しても、圧接力調整部材７２は、ほとんど又は全く変位せず、第１の位置に配置されたままである。
【００５７】
図３及び図４に示すように、圧接力調整部材７２は、用紙搬送方向において下流側から順に、第１プレート部７２１、傾斜部７２２、第２プレート部７２３、及び係止部７２４を有する。
【００５８】
第１プレート部７２１は、フレームに沿ってスライド自在に配置されている。第１プレート部７２１は、例えば、フレームのうち定着後ローラ対８０の一方のローラ（例えば、従動ローラ８２）側の面に沿ってスライド自在に配置されている。傾斜部７２２は、定着後ローラ対８０の上述のローラ（この実施形態では、従動ローラ８２）側へ突出するように傾斜している。第２プレート部７２３は、第１プレート部７２１と平行方向であって駆動ローラ８１と従動ローラ８２との互いの圧接方向に直交する方向に配置され、第１プレート部７２１より従動ローラ８２側へ突出している。係止部７２４は、第２プレート部の上流側端部に設けられ、第２プレート部７２３に直交する方向であって従動ローラ８２側へ延びるように構成されている。
【００５９】
図３に示すように、普通紙の湾曲部６９通過時に、圧接力調整部材７２は第１の位置に配置され、第１プレート部７２１が従動ローラ８２の軸部に対向する。また、図４に示すように、厚紙の湾曲部６９通過時に、圧接力調整部材７２は第２の位置に配置され、第２プレート部７２３が従動ローラ８２の軸部に圧接する。なお、第２プレート部の上流側端部に係止部７２４が設けられているので、圧接力調整部材７２が大きく変位した場合でも、従動ローラ８２の軸部が係止部７２４を超えることが防止される。
【００６０】
圧接力調整部材７２が第１の位置に配置された際、駆動ローラ８１と従動ローラ８２との互いの圧接力は弱められない。一方、圧接力調整部材７２が第２の位置に配置された際、第２プレート部７２３が従動ローラ８２の軸部を駆動ローラ８１と従動ローラ８２とが互いに離間する方向へ押圧するので、駆動ローラ８１と従動ローラ８２との互いの圧接力が弱められる。この実施形態では、圧接力調整部材７２が第１の位置に配置された際、駆動ローラ８１と従動ローラ８２との互いの圧接力は２００ｇｆであり、圧接力調整部材７２が第２の位置に配置された際、圧接力調整部材７２が第１の位置にある場合より駆動ローラ８１と従動ローラ８２との軸間距離Ｌが広げられ、駆動ローラ８１と従動ローラ８２との互いの圧接力は０ｇｆとなるように構成されている。
【００６１】
普通紙の湾曲部６９通過時は、圧接力調整部材７２が第１の位置に配置されることで、定着後ローラ対８０は普通紙を所定の圧接力で圧接しながら搬送する。このため、用紙が定着装置５０の加熱ローラ５１へ巻き付いて十分に剥離されないことによる用紙の波打ちを防止することができる。
【００６２】
一方、厚紙の湾曲部６９通過時は、用紙の復元力が大きく反転ゲート７１に対する当接力が大きくなるので反転ゲート７１は大きく揺動し、圧接力調整部材７２は第２の位置に配置される。このため、定着後ローラ対８０の駆動ローラ８１と従動ローラ８２との互いの圧接力が弱められる。これによって、画像に光沢むらが発生することを抑制することができる。このように、画像形成装置１０によれば、簡単な構成で、画像に光沢むらが発生することを抑制することができる。
【００６３】
用紙の湾曲部６９通過後は、反転ゲート７１、圧接力調整部材７２、及び連結部材７３の自重によって、反転ゲート７１及び連結部材７３は下降し、圧接力調整部材７２は第１の位置に配置される。
【００６４】
なお、第２プレート部７２３は、第１プレート部７２１に対して用紙搬送方向の下流側へ下り傾斜するように構成することもできる。これによれば、厚紙の湾曲部６９通過後に、圧接力調整部材７２が第１の位置へ、より戻り易くなる。
【００６５】
光沢紙の湾曲部６９通過時は、反転ゲート７１は厚紙の湾曲部６９通過時と同程度に揺動し、圧接力調整部材７２が第２の位置に配置される。このため、光沢紙の画像に光沢むらが発生することを抑制することができる。
【００６６】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【図面の簡単な説明】
【００６７】
【図１】この発明の実施形態に係る画像形成装置の正面断面図である。
【図２】画像形成装置の一部の拡大図である。
【図３】図２に示した円内の構成を示す図であって普通紙の湾曲部通過時における圧接力調整部材の位置を示す図である。
【図４】図２に示した円内の構成を示す図であって厚紙の湾曲部通過時における圧接力調整部材の位置を示す図である。
【符号の説明】
【００６８】
１０  画像形成装置
４５  用紙主搬送路（用紙搬送路）
４６  用紙副搬送路）
５０  定着装置（定着部）
６７  分岐点
６８  合流点
６９  湾曲部
７１  反転ゲート（揺動部材）
７２  圧接力調整部材
７３  連結部材
８０  定着後ローラ対（搬送部材）
８１  駆動ローラ（回転体）
８２  従動ローラ（回転体）
１００  画像読取ユニット
２００  画像形成ユニット
３００  給紙ユニット
【図１】
2010120746.tif 000003
【図２】
2010120746.tif 000004
【図３】
2010120746.tif 000005
【図４】
2010120746.tif 000006